(57)【要約】【課題】  本発明の目的は、熟練を必要とせずに簡単に塗り壁材の乾燥を防止することが可能な左官工事用シートおよび塗壁仕上げ方法を提供することである。【解決手段】  本発明は、塗り壁材の乾燥を防ぐためやモルタルやコンクリートの養生に使用される左官工事用シート１００であって、硬質な素材で形成され長手方向に伸張した壁面固定部１０と、前記壁面固定部１０の一端に設けられたフィルム状のシート部２０を備えたことを特徴とする。【選択図】  図１
2019019556.tif 000002
【特許請求の範囲】
【請求項１】
壁面に塗り壁材を塗布して仕上げる塗壁仕上げ方法において、前記壁面に前記塗り壁材を塗布する塗布工程と、前記塗り壁材の塗布部分にフィルム状のシートを空気が入らない状態で密着させるシート貼付・密着工程とを有することを特徴とする塗壁仕上げ方法。
【請求項２】
前記シート貼付・密着工程は、前記シートを前記塗り壁材の塗布部分を覆う位置まで移動させ前記塗り壁材に接着させるシート貼付工程と、前記塗り壁材と前記シートの間の空気を抜くように前記シートのうえからブラシ等のハケで撫でつけることで前記塗り壁材と前記シートを接着させるシート密着工程を有することを特徴とする請求項１記載の塗壁仕上げ方法。
【請求項３】
塗り壁材の乾燥を防ぐためやモルタルやコンクリートの養生に使用される左官工事用シートであって、硬質な素材で形成され長手方向に伸張した壁面固定部と、前記壁面固定部の一端に設けられたフィルム状のシート部を備えたことを特徴とする左官工事用シート。
【請求項４】
前記壁面固定部には、壁面との接着を強固にするための複数の通孔が設けられていることを特徴とする請求項３記載の左官工事用シート。
【請求項５】
前記壁面固定部は、断面Ｌ字形状であることを特徴とする請求項３または４記載の左官工事用シート。
【請求項６】
前記壁面固定部は、壁面に固定される固定部と、前記固定部から略９０度に突出して設けられた把持片から構成され、前記把持片は使用者が前記左官工事用シートをつかむためのものであることを特徴とする請求項３から５のいずれか一項記載の左官工事用シート。
【請求項７】
前記壁面固定部は、壁面に固定される固定部と、前記固定部から略９０度に突出して設けられた定規部から構成され、前記定規部はコンクリート等の基礎形成材の上面を綺麗にならすためのコテ当たり面であることを特徴とする請求項３から５のいずれか一項記載の左官工事用シート。
【請求項８】
前記壁面固定部はプラスチック等の硬質な素材で形成され、前記シート部はポリエチレンフィルム等の薄くて軽いフィルム状の部材で形成されていることを特徴とする請求項３から７のいずれか一項記載の左官工事用シート。
【発明の詳細な説明】
【技術分野】
【０００１】
本発明は、塗り壁で形成された壁面およびコンクリートやモルタルで形成される床面の乾燥を防止するために使用する左官工事用シートおよびその塗壁仕上げ方法に関する。
【背景技術】
【０００２】
従来、塗壁仕上げに用いる壁材として、ビニールクロス等の壁紙、タイル、石、化粧合板等が用いられており、和室の内装としては主に塗り壁が使用されてきた。近年は、健康・エコブームにより、塗り壁への注目が非常に高くなっており、様々な材質の塗り壁材が使用されている。
塗り壁とは、下地の上に土などの素材を荒塗り、中塗り、上塗りと何層にも塗って仕上げた壁のことである。塗り壁の素材として、漆喰、珪藻土、セメントまたは合成樹脂等が使用されており、その中でも樹脂系塗り壁材は、カラーバリエーションが多く、耐候性がありさらに接着力が高く伸ばしやすいという特徴があるため、塗り壁材の材質のうち最も施工性が良く、ＤＩＹ（日曜大工）から専門の建築現場の内装まで幅広く使用されている。
しかしながら、樹脂系塗り壁材は、施工性の高さから様々な模様をつけやすいものの、塗り壁材を塗布後、時間が経過すると塗り壁材の表面が乾いてきて膜を張り、固まるという現象が発生し、表面硬化後は塗り壁の仕上げができなくなってしまう。よって、塗り壁材を塗布する壁面の範囲が広い場合には短時間での作業を強いられるため、複数の職人を雇い、一度に短時間で施工する必要がある。
【先行技術文献】
【特許文献】
【０００３】
【特許文献１】特開２０１２−１４７６８３号公報
【特許文献２】特開２０１０−２１６１１２号公報
【発明の開示】
【発明が解決しようとする課題】
【０００４】
上述の問題点に鑑み鋭意検討した結果、本願出願人は、樹脂系塗り壁材を使用する塗壁仕上げにおいて、塗り壁材を塗布後、左官工事用シートを塗り壁材の表面に密着させて固定させ乾燥を防ぐ方法を見出した。
【０００５】
壁面にシートを取り付ける技術に関しては従来以下のものが存在する。
特許文献１は、「取付具」に関する発明であり、ネットＮの上端部に位置する線材１０２を各支柱１０１の先端部に配置された各取付具１０に設けられた第１フック２ａおよび第２フック２ｂに掛けるだけで、ネットＮを支柱１０１に取り付けられるものである。
特許文献２は、養生シートの開閉装置に関する発明であり、養生シート２３ａの上端縁に備えたリング２９を、前記一方の支持パイプ２２ａに備えた支持金具２４に連結して、該一方の養生シート２３ａを支持パイプ２２ａで吊り下げ支持することにより、一方の養生シート２３ａが仮設足場５の外側において建物２の左右方向に張設したものである。
【０００６】
しかしながら、特許文献１や特許文献２等の支柱やパイプ等に養生シートを取り付ける方法では、塗り壁材を塗布する壁面周辺に支柱やパイプ等が必要となりそのうえ取り付け方法が大掛かりであるため塗り壁材の乾燥防止のための用途としては不向きである。
また塗り壁材が乾燥しないように養生シートを取付具を使用せずにそのまま壁面に密着させる方法も考えられるが、養生シート自体が薄く腰がないため、すぐに養生シート同士が密着して勝手に折り畳まれてしまうことや1度折り畳まれた養生シートを開くことが大変困難である等の問題が発生し、養生シートの扱いが大変難しく塗壁工事の作業性を著しく低下させてしまう。
コンクリートやモルタルの養生を行う際も同様で、コンクリートやモルタルを打設した後に、簡単に養生シートによってコンクリートやモルタルの露出面を覆う方法が望まれている。
【０００７】
そこで本発明の目的は、熟練を必要とせずに簡単に塗り壁材の乾燥を防止することが可能な左官工事用シートおよび塗壁仕上げ方法を提供することである。
【課題を解決するための手段】
【０００８】
本発明は、塗り壁材の乾燥を防ぐためやモルタルやコンクリートの養生に使用される左官工事用シートであって、硬質な素材で形成され長手方向に伸張した壁面固定部と、前記壁面固定部の一端に設けられたフィルム状のシート部を備えたことを特徴とする。
また本発明は、壁面に塗り壁材を塗布して仕上げる塗壁仕上げ方法において、前記壁面に前記塗り壁材を塗布する塗布工程と、前記塗り壁材の塗布部分にフィルム状のシートを空気が入らない状態で密着させるシート貼付・密着工程とを有することを特徴とする。
本発明によれば、塗り壁材を塗布した後、フィルム状のシートを空気が入らない状態として塗り壁材に接着させることで、塗り壁材の表面が乾き固まってしまう等の乾燥を防ぐことが可能となり、塗布後一定時間経過したとしても、塗り壁材の仕上げを良好に行うことができる。
【０００９】
本発明の左官工事用シートは、前記壁面固定部に壁面との接着を強固にするための複数の通孔が設けられていることを特徴とする。
本発明によれば、前記壁面固定部に壁面との接着を強固にするための複数の通孔を設けることで、塗り壁材やコンクリート、モルタル等の床材と左官工事用シートが通孔を介してより密着するため壁面固定部と壁面との接着度がより強くなる。よって、左官作業中に左官工事用シートが壁面から剥がれる等の問題が発生し難い。
【００１０】
本発明の左官工事用シートは、前記壁面固定部が断面Ｌ字形状であることを特徴とする。
また本発明の左官工事用シートは、前記壁面固定部が壁面に固定される固定部と、前記固定部から略９０度に突出して設けられた把持片から構成され、前記把持片は使用者が前記左官工事用シートをつかむためのものであることを特徴とする。
本発明によれば、左官工事用シートの壁面固定部が長手方向に伸長したＬ字形状をしており、壁面に固定される固定部から把持片が突出して設けられているため、職人等左官工事用シートを使用する使用者が固定部から突出した把持片をつかんで簡単に塗り壁材の塗布箇所に左官工事用シートを取り付けることが可能となる。
【００１１】
本発明の左官工事用シートは、前記壁面固定部が壁面に固定される固定部と、前記固定部から略９０度に突出して設けられた定規部から構成され、前記定規部はコンクリート等の基礎形成材の上面を綺麗にならすためのコテ当たり面であることを特徴とする。
本発明によれば、定規部をコンクリート等の基礎形成材の上面を綺麗にならすためのコテ当たり面とすることでコンクリートやモルタルで形成される床面の天面を水平に綺麗に仕上げることができ、かつシート部を養生用のシートとして使用することができる。よって、左官工事用シートを使用するだけで表面仕上げ工程および養生工程を行うことが可能となって、位置決め用定規や養生シートを別々に用意する手間を省くことが可能となる。
【００１２】
本発明の左官工事用シートは、前記壁面固定部がプラスチック等の硬質な素材で形成され、前記シート部はポリエチレンフィルム等の薄くて軽いフィルム状の部材で形成されていることを特徴とする。
また本発明によれば、左官工事用シートとして形が歪みにくいプラスチック等の硬質な材質の壁面固定部を有し、壁面固定部の角部にフィルム状のシート部が設けられているため、シート部が薄く腰がない材質であっても、シート同士が密着して勝手に折り畳まれてしまい塗り壁材に接着できないといった取り扱い上の問題が発生せず、容易にシート部を塗り壁材の塗布箇所に接着することができる。
【００１３】
本発明の塗壁仕上げ方法は、前記シート貼付・密着工程が前記シートを前記塗り壁材の塗布部分を覆う位置まで移動させ前記塗り壁材に接着させるシート貼付工程と、前記塗り壁材と前記シートの間の空気を抜くように前記シートのうえからブラシ等のハケで撫でつけることで前記塗り壁材と前記シートを接着させるシート密着工程を有することを特徴とする。
本発明によれば、塗り壁材を塗布した後、フィルム状のシートを塗り壁材に接着させ、そして塗り壁材とシートの間の空気を抜くように前記シートのうえからブラシ等のハケで撫でつけることで塗り壁材とシートの密着性が高まり、より塗り壁材の乾燥を防ぐことが可能となる。
【発明の効果】
【００１４】
本発明によれば、塗り壁材を塗布した後、フィルム状のシートを空気が入らない状態として塗り壁材に接着させることで、塗り壁材の表面が乾き固まってしまう等の乾燥を防ぐことが可能となり、塗布後一定時間経過したとしても、塗り壁材の仕上げを良好に行うことができる。
また本発明によれば、形が歪みにくいプラスチック等の硬質な材質の壁面固定部と、壁面固定部の角部にフィルム状のシート部が設けられた左官工事用シートを使用することで、フィルム状のシートが薄く腰がない材質であっても、シート同士が密着して勝手に折り畳まれてしまい塗り壁材に接着できないといった取り扱い上の問題が発生せず、容易にシートを塗り壁材の塗布箇所に接着することができる。
【図面の簡単な説明】
【００１５】
【図１】本発明の第１の実施形態の左官工事用シート１００を示す斜視図である。
【図２】上記実施形態の左官工事用シート１００の壁面固定部１０を示す斜視図である。
【図３】上記実施形態の左官工事用シート１００の壁面固定部１０を示す底面図である。
【図４】上記実施形態の左官工事用シート１００のＡ−Ａ断面図である。
【図５】上記実施形態の左官工事用シート１００の取り付け例であり、樹脂系塗り壁材の塗布工程を示す写真である。
【図６】上記実施形態の左官工事用シート１００の取り付け例であり、シート貼付工程を示す写真である。
【図７】上記実施形態の左官工事用シート１００の取り付け例であり、シート密着工程を示す写真である。
【図８】上記実施形態の左官工事用シート１００の取り付け例であり、シートを貼り付けた後の状態を示す写真である。
【図９】本発明の第２の実施形態の左官工事用シート２００を示す斜視図である。
【図１０】上記実施形態の左官工事用シート２００の壁面固定部２１０を示す斜視図である。
【図１１】上記実施形態の左官工事用シート２００の取り付け例であり、床材を充填後、床材表面をシートで覆った状態の模式図である。
【図１２】本発明の塗壁仕上げ方法を示すフロー図である。
【図１３】本発明の床材天面仕上げ方法のフロー図である。
【図１４】本発明の第２の実施形態の左官工事用シート２００を基準線Ｃに合わせる状態を示す模式図である。
【図１５】本発明の第２の実施形態の左官工事用シート２００のその他の例を示す模式図である。
【発明を実施するための形態】
【００１６】
以下、本発明を実施するための一形態について図面を引用しながら説明する。
【００１７】
（第１の実施の形態）
図１は、本発明の第１の実施形態の左官工事用シート１００を示す斜視図であり、図２は、上記実施形態の左官工事用シート１００の壁面固定部１０を示す斜視図である。図３は、上記実施形態の左官工事用シート１００の壁面固定部１０を示す底面図であり、図４は、上記実施形態の左官工事用シート１００のＡ−Ａ断面図である。
【００１８】
本実施の形態の左官工事用シート１００は、壁面に漆喰、珪藻土、セメントまたは合成樹脂等の塗り壁材を塗布後、塗り壁材の乾燥を防止するために使用する部材であり、左官工事用シート１００を掴むための壁面固定部１０と、壁面固定部１０の角部１３ｂから伸長した乾燥を防止するためのシート部２０を備える（図１）。
左官工事用シート１００は、長手方向に伸長した長尺状の部材で形成されている。
【００１９】
壁面固定部１０は、長手方向に伸長した長尺状の部材で断面がＬ字形状をしており、プラスチック等の硬質な材質で形成され、左官工事用シート１００を掴むための把持片１１と、把持片１１の一端に接続され壁面に固定するための固定部１３から構成される。
把持片１１は長方形状をしており、把持片１１は固定部１３を基準として略９０度に突出して設けられ、把持片１１の下端１１ｂは固定部１３の一端に一体として設けられている。
固定部１３は、背面１３ｃを壁面側に取り付ける部材であって、壁面固定部１０と同様の外形形状をした長尺状の部材で、固定部１３の背面であって壁面固定部１０の角部１３ｂにシート部２０が接着剤部材等によって接着されている。
【００２０】
シート部２０は、壁面に塗布された塗り壁材の乾燥を防止するために使用するフィルム状の部材であり、ポリエチレンフィルム等、薄くて軽い素材で形成されている。
またシート部２０は、固定部１３の背面であって壁面固定部１０の角部１３ｂに一端が取り付けられ、壁面固定部１０の角部１３ｂから外方に伸張して設けられている。
【００２１】
図５は、上記実施形態の左官工事用シート１００の取り付け例であり、樹脂系塗り壁材の塗布工程を示す写真であり、図６は、上記実施形態の左官工事用シート１００の取り付け例であり、シート貼付工程を示す写真である。図７は、上記実施形態の左官工事用シート１００の取り付け例であり、シート密着工程を示す写真であり、図８は、上記実施形態の左官工事用シート１００の取り付け例であり、シートを貼り付けた後の状態を示す写真である。図１２は、本発明の塗壁仕上げ方法を示すフロー図である。
塗壁工事において壁面に漆喰、珪藻土、セメントまたは合成樹脂等の塗り壁材を塗布して仕上げる場合、最初にコテ等の道具を使用して壁面に塗り壁材を塗布する（Ｓ１：塗布工程）。
次に、左官工事用シート１００の壁面固定部１０の把持片１１を両方の指でつかみ、シート部２０が塗り壁材の塗布部分を覆う上方位置まで壁面固定部１０を移動させ、固定部１３の背面１３ｃを塗り壁材に接着させる（Ｓ２：シート貼付工程／シート貼付・密着工程）。塗り壁材は粘性が高いため、固定部１３の背面１３ｃに接着剤等の接着部材が設けられていなくても簡単に塗り壁材に左官工事用シート１００を固定することができる。
そして、塗り壁材とシート部２０の間の空気を抜くようにシート部２０のうえからブラシ等のハケで撫でつけ、塗り壁材とシート部２０を接着させる（Ｓ３：シート密着工程／シート貼付・密着工程）。
このように、塗り壁材を塗布した後、左官工事用シート１００のシート部２０を塗り壁材に接着させると、塗り壁材の表面が乾き固まってしまう等の乾燥を防ぐことが可能となり、塗布後一定時間経過したとしても、塗り壁材の仕上げを良好に行うことができる。また、塗り壁材の乾燥を防ぐことが可能であるため、塗り壁材を塗布する壁面の範囲が広い場合でも一度に短時間で施工する必要がなく、人件費を削減することが可能となる。
さらに左官工事用シート１００の壁面固定部１０は、形が歪みにくいプラスチック等の硬質な材質を使用しているため、シート部２０が薄く腰がない材質であっても、シート同士が密着して勝手に折り畳まれてしまい塗り壁材に接着できないといった取り扱い上の問題が発生せず、容易にシート２０を塗り壁材の塗布箇所に接着することができる。
また、左官工事用シート１００の壁面固定部１０が長手方向に伸長したＬ字形状をしているため職人等の使用者が固定部１３から突出した把持片１１をつかんで簡単に塗り壁材の塗布箇所に取り付けることが可能となる。
【００２２】
（第２の実施の形態）
図９は、本発明の第２の実施形態の左官工事用シート２００を示す斜視図であり、図１０は、上記実施形態の左官工事用シート２００の壁面固定部２１０を示す斜視図である。
第１の実施形態の左官工事用シート１００は、塗り壁材が塗布された壁面に装着して乾燥を防ぐためのものであったが、第２の実施形態の左官工事用シート２００は、コンクリートやモルタルの養生を行うために使用するものであって、その他の構成は、第１の実施の形態と同様であり、同一部分に同一符号を付して重複する説明を省略する。
【００２３】
本実施の形態の左官工事用シート２００は、壁面固定部２１０と壁面固定部２１０の角部に設けられたシート部２２０から構成される。
壁面固定部２１０は、長手方向に伸長した長尺状の部材でかつ壁に固定される固定部２３と、固定部２３から略９０度に突出して設けられた定規部２１を備えた断面Ｌ字形状の部材であり、プラスチック等の硬質な材質で形成されており、固定部２３と定規部２１は一体成型され、軽量かつ簡単に量産可能となっている。
【００２４】
固定部２３は、壁面に固定する部材で、長手方向に伸長した長方形形状をしており、前記固定部２３の上端２３ａは、定規部２１の一端と接続されている。
固定部２３には、左官工事用シート１００と床材および壁との接着を強固にするための複数の通孔２３ｃ，２３ｃ・・・が長手方向に沿って等間隔に設けられている。
定規部２１は、コンクリート等の基礎形成材の上面を綺麗にならすためのコテ当たり面であり、長手方向に伸長した長方形形状をしており、前記固定部２３の上端２３ａから突出して設けられる。左官工事用シート２００を壁面に取り付けた場合に定規部２１にコテを当てて長手方向に移動することで水平に床材をならすことが可能となる。
シート部２２０は、コンクリートやモルタルの養生を行うために使用するフィルム状の部材であり、ポリエチレンフィルム等、透明性を有しかつ薄くて軽い素材で形成されている。
またシート部２２０は、固定部２３の上端２３ａの背面であって壁面固定部２１０の角部に一端が取り付けられ、壁面固定部２１０の角部から外方に伸張して設けられている。
【００２５】
図１１は、上記実施形態の左官工事用シート２００の取り付け例であり、床材を充填後、床材表面をシートで覆った状態の模式図であり、図１３は、本発明の床材天面仕上げ方法のフロー図である。図１４は、本発明の第２の実施形態の左官工事用シート２００を基準線Ｃに合わせる状態を示す模式図である。
建築物の床の土台にコンクリートやモルタル等の床材を流し込んで前記床材の天面を綺麗に仕上げる床材天面仕上げ作業を行う場合、最初に壁面Ｐに床材を流しこむための基準線Ｃを出す墨出し工程（Ｓ１１）を行う。
次に左官工事用シート２００を前記基準線Ｃを基準として壁面Ｐに取り付ける取付工程（Ｓ１２）を行う。左官工事用シート２００の固定部２３の上端２３ａを基準線Ｃに合わせるように壁面Ｐに取り付けるが、シート部２２０が透明性を有する材質で形成されているため、シート部２２０を介して基準線Ｃが視認可能であり、簡単に壁面Ｐに左官工事用シート２００を取り付けることが可能となる。左官工事用シート２００の固定部２３を壁面Ｐに取り付けた後、シート部２２０を壁面Ｐを覆うように被覆させ、シート部２２０を壁面Ｐに接着剤等で取り付ける。
その後、床の土台に前記床材を流し込む床材流し込み工程（Ｓ１３）を行う。具体的には、作業者が流し込みたい床材を固定部２３の上端２３ａおよび定規部２１の位置まで充填する。そうすると、床材の天面が凸凹のある不連続な状態となる。
そして、前記床材の天面を綺麗にならす天面ならし工程（Ｓ１４）を行う。作業者がコテ等のならし用道具を使用して床材の天面を平坦にならしていくが、その際に定規部２１に沿って、ならし用道具を移動させてならし作業を行う。定規部２１があるため、作業者に熟練した技術がなくてもコテ当たり面周辺の天面を中心に容易、正確かつ綺麗に仕上げることが可能である。
次に、左官工事用シート２００のシート部２２０を壁面Ｐから取り外し床材の表面を覆うようにかけて養生する養生工程（Ｓ１５）を行う。
このように、左官工事用シート２００を使用することで、コンクリートやモルタルで形成される床面の天面を水平に綺麗に仕上げることができ、さらにシート部２２０が透明性を有する素材で形成されているため、壁面Ｐに設けられた基準線Ｃに合わせて左官工事用シート２００を簡単に取り付けることが可能となる。
またシート部２２０によって壁面が覆われているため、床材流し込み工程（Ｓ１３）や天面ならし工程（Ｓ１４）において壁面に床材が付着した場合でも壁面を汚すことがなく綺麗に作業を行うことができるうえ、養生工程（Ｓ１５）においてはシート部２２０を壁面から外して養生用のシートとして使用することが可能となり、壁面汚れ防止用のシートと養生用のシートを兼用して使用することができる。
【００２６】
（その他の例）
図１５は、本発明の第２の実施形態の左官工事用シート２００のその他の例を示す模式図である。
左官工事用シート２００はさらに壁を覆うための汚れ防止用テープ２３０を備えてもよい。左官工事用シート２００は、壁面固定部２１０と壁面固定部２１０の角部に設けられたシート部２２０と、シート部２２０の外側からシート部２２０を挟むように固定部２３の背面に取り付けられた汚れ防止用テープ２３０を有する。
汚れ防止用テープ２３０は、壁面に床材が付着して汚れないようにするためのテープであり、長さが壁面固定部２１０の長さと略同一である長手方向に伸長した長方形形状をしており、固定部２３の背面と汚れ防止用テープ２３０の下端との間でシート部２２０を挟持した状態で着脱可能に固定部２３に固定されている。
汚れ防止用テープ２３０は、左官工事用シート２００を壁面に取り付けた後でも壁面に記された基準線Ｃが前記汚れ防止用テープ２３０を介して目視可能であるように汚れ防止用テープ２３０の全部または一部が透明性を有する材質で形成されている。汚れ防止用テープ２３０のうち床材で隠れてしまう下端位置は不透明な材質でもよく、透明性を有する材質と透明性を有しない材質を組み合わせて形成してもよい。
汚れ防止用テープ２３０を使用する場合、シート部２２０を壁面Ｐを覆うように被覆させる必要はなく、天面ならし工程（Ｓ１４）を行った後に、汚れ防止用テープ２３０を取り外すテープ取り外し工程（ＳＡ）を行う。汚れ防止用テープ２３０は、下端が着脱可能に固定されているため、汚れ防止用テープ２３０を上方、左方向もしくは右方向に引っ張ることで取り外すことができる。
テープ取り外し工程（ＳＡ）は、養生工程（Ｓ１５）の前でも後でも途中でもよく、天面ならし工程（Ｓ１４）の後であれば、いつ汚れ防止用テープ２３０を取り外してもよい。
このように、左官工事用シート２００が汚れ防止用テープ２３０を備えることによって床材を流し込む位置よりも上方の壁面位置に床材が付着した場合でも、汚れ防止用テープ２３０によって壁面が覆われているため、基準線周辺の壁面を汚すことがなく、綺麗に作業を行うことができる。
【符号の説明】
【００２７】
１００，２００                  左官工事用シート、
１０，２１０                    壁面固定部、
１３，２３                      固定部、
１３ｂ                          角部、
１３ｃ                          背面、
１１                            把持片、
２０、２２０                    シート部、
２３０                          汚れ防止用テープ、
２１                            定規部、
２３ｃ                          通孔、
Ｐ                              壁面、
Ｃ                              基準線
【図１】
2019019556.tif 000003
【図２】
2019019556.tif 000004
【図３】
2019019556.tif 000005
【図４】
2019019556.tif 000006
【図５】
2019019556.tif 000007
【図６】
2019019556.tif 000008
【図７】
2019019556.tif 000009
【図８】
2019019556.tif 000010
【図９】
2019019556.tif 000011
【図１０】
2019019556.tif 000012
【図１１】
2019019556.tif 000013
【図１２】
2019019556.tif 000014
【図１３】
2019019556.tif 000015
【図１４】
2019019556.tif 000016
【図１５】
2019019556.tif 000017